【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
周囲の一面に販売や貸し出し物品の挿入、引き抜きによる出し入れ用の開口を有するケースと、このケースの周壁に上記開口から前記開口の反対方向にガイドを設け、このガイドに出没スライドするスライダを嵌挿すると共に、このスライダとガイドとに前記スライダの抜け止め手段を設け、上記スライダの突出方向端に前記物品の脱出防止用のストッパを設け、上記スライダの途中に上記開口からストッパが外れる中折れ関節部を設け、上記ケース或いはガイドとスライダとの対向面に前記スライダの没入終了時点に係合関係になる係止手段を設けたことを特徴とする盗難防止装置。
【請求項２】
前記ケースに物品の押し出し用指先嵌入用貫窓を設けたことを特徴とする請求項１に記載の盗難防止装置。
【手続補正２】
【補正対象書類名】明細書
【補正対象項目名】全文
【補正方法】変更
【補正の内容】
【発明の詳細な説明】
【発明の名称】盗難防止装置
【技術分野】
【０００１】  この発明は、陳列時にケースに挿入してある例えばＣＤカセットの音楽や映像を記録してあるディスクやビデオテープ、ゲームソフトなどの商品の盗難防止をする盗難防止装置に関する。
【背景技術】
【０００２】  例えば、レンタル店でレンタル商品を陳列する場合、ケースから商品を抜き取ることが出きるので、商品が盗まれる問題が発生した。【０００３】  そこで、ケースから商品の抜き取りを防止する従来技術としては、特許文献１に示すようなケースや特許文献２に示すような盗難防止用ケースがある。【０００４】
【特許文献１】  特開２０００−２３７００８号公報
【０００５】
【特許文献２】  特開２００１−１２２３２１号公報
【発明の開示】
【発明が解決しようとする課題】
【０００６】  ところで、特許文献１の構造のものは、ケースの周壁外側にガイド手段により進退スライドするスライダを設けて、スライダの前進により揺動体を押さえ込みながら、スライダの先端ストッパをケースの開口に臨ませて商品の取り出しを防止するようになっている。【０００７】  上記のような構造によると、ケースの頂壁全長に設けてあるガイド手段のレール用突出壁の溝にスライダの突条を嵌め込み係合させてスライダを進退スライドさせるので、スライダの端面が開放する。【０００８】  すると、スライダの端面から内方にドライバなどを押し込み、かつ、こじることによって上記の嵌め込み係合させてある溝から突条が外れ、外れることによってスライダが脱落してストッパ付の揺動体の押さえ込みを維持することができない不都合（商品の盗難防止機能の役目を果たさない）が発生した。【０００９】  また、特許文献２の構造のものは、ガイド手段にストッパ付のスライダを挿入しながらケースの開口にストッパを臨ませて、ケースから商品の取り出しを防止するようになっている。【００１０】  上記のような構造によると、ケースとストッパ付のスライダとが別体のため、個別にケース及びスライダを管理することになるので、手数がかかる以外に、スライダの差し込みや抜き取りに煩わしい問題があった。【００１１】  そこで、この発明は、上記の問題を解決することにある。
【課題を解決するための手段】
【００１２】  上記の課題を解決するために、この発明は、周囲の一面に販売や貸し出し物品の挿入、引き抜きによる出し入れ用の開口を有するケースと、このケースの周壁に上記開口から前記開口の反対方向にガイドを設け、このガイドに出没スライドするスライダを嵌挿すると共に、このスライダとガイドとに前記スライダの抜け止め手段を設け、上記スライダの突出方向端に前記物品の脱出防止用のストッパを設け、上記スライダの途中に上記開口からストッパが外れる中折れ関節部を設け、上記ケース或いはガイドとスライダとの対向面に前記スライダの没入終了時点に係合関係になる係止手段を設けた構成を採用する。【００１３】  また、ケースに物品の押し出し用指先嵌入用貫窓を設けた構成を採用する。
【発明の効果】
【００１４】  以上のように、この発明の盗難防止装置によれば、ケースのガイドに抜止め手段を介しストッパ付スライダを設けてあるので、ケースとストッパ付スライダの別々の管理やスライダの紛失をなくすることができると共に、手間のかかるスライダの差し込み操作が不要になり、スライダの押し込みにより開口の一部をストッパにより閉鎖し、かつ係止手段によるスライダの突出防止によって物品の盗難を防止することができる。【００１５】  また、ケースに設けた貫窓によって、物品の押し出しをスムーズに行うこともできる。
【発明を実施するための最良の形態】
【００１６】  この発明の実施の形態を添付図面に基づいて説明する。【００１７】  この発明の実施形態では、図１から図３に示すように、陳列用のケースＫの周囲一面には、販売や貸し出し物品Ａの挿入、引き抜きによる出し入れ用の開口１が設けてある。【００１８】  上記のケースＫは、図１に示すように対向する対の側壁２、２と、この側壁２、２の上縁同士、片方の側縁同士及び下縁同士を連結する周壁３とで構成され、例えば合成樹脂成型品によって形成する。【００１９】  上記の販売や貸し出し物品Ａとしては、例えば図１に示すような収納ケースＢに商品ａのディスクを収納したものや、図１３に示すようなビデオテープなどがある。【００２０】  そして、図示のように、ケースＫに（図示の場合側壁２の内面に設けたが、位置は限定されない）固有のＩＤコードをもち、ショップの出入口を通過の際出入口に設置の高周波電磁界の発生により共振回路が共振して固有のＩＤコードの発信にともない前記の高周波電磁界を変調させるような盗難防止タグ４を設けて、ケースＫの持ち出しを阻止する。【００２１】  また、ケースＫには、開口１からの開口１の反対方向にガイド５を設けてこのガイド５に出没スライドするスライダ６を嵌挿する。【００２２】  勿論、ケースＫ側のタグ４をスライダ６に設けてもよい。【００２３】  上記のガイド５は、図示の場合、頂壁部７と、この頂壁部７の両側縁から連なって下方に突出して対向すると共に、両側壁２、２の上縁に連なる（ケースＫと一体成型による）側壁部８とで筒上に設けたが、例えば、ケースＫ内の上部で上面用周壁３に所定の間隔を存して対向すると共に、側壁２、２から内方に突出する突出条や側壁２、２同士を連結する連結壁（いずれも図示省略）などで構成することもある。【００２４】  要するに、スライダ６の出没スライドをガイドすることにある。【００２５】  さらに、スライダ６とガイド５或いはケースＫとには、スライダ６の抜止め手段Ｃが設けてある。【００２６】  上記の抜止め手段Ｃとしては、例えば図３に示すように、ガイド５の両側面にスライダ６のスライド方向に沿う貫通或いは溝状のレール部９を設けて、このレール部９にスライダ６の末端両側から突出する突部１０を嵌入し、スライダ６の突出スライドにともないレール部９の開口１側端縁に突部１０が当接して、ガイド５からスライダ６が抜けないようになっている（なお、突部１０は、図示のように切り込み１１を入れて、ガイド５にスライダ６を押し込むと側壁部８の内面との接触によって突部１０が押し戻され、押し込みにともないレール部９に突部１０が合致すると、押し戻しの解除された突部１０がレール部９に嵌り込むようにした）が、上記以外の例えば図９に示すようにガイド５内に底面とスライダ６の下面とにレール部９と軸状の突部１０を設けてもよい。【００２７】  要するに、突出させたスライダ６がガイド５から抜けないようにしてある。【００２８】  また、スライダ６の突出方向端（開口１側端）には、スライダ６の没入挿入スライドの終了にともない開口１の一部を閉じてケースＫ内の物品Ａの抜き取りを阻止するストッパ１２が設けてある。【００２９】  さらに、スライダ６の途中（突出終了時点のガイド５から外れる位置��には、開口１からストッパ１２が外れる中折れ関節部１３が設けてある。【００３０】  上記の関節部１３は、図示の場合スライダ６の下面にＶ字状の欠除部を設けて形成したが、その他の方法で設けることもある。【００３１】  なお、合成樹脂によって形成するスライダ６に図７に示すような反り返る性質を付与しておくと、スライダ６の突出方向のスライドにともないガイド５からスライダ６のストッパ１２側端図３の上面に設けてある嵌入案内下り勾配のテーパー面１４付の突起１５が外れると、スライダ６のストッパ１２側が関節部１３から上昇（図示の場合）するので、スライダ６のストッパ１２側を持ち上げる必要がない。【００３２】  勿論、合成樹脂製のスライダ６に限定されず金属などあってもよい。【００３３】  なお、上述の反り返る性質がないと、手で持ち上げるとよい。【００３４】  このとき、関節部１３を設けておくと、スライダ６のストッパ１２側の持ち上げがスムーズになる。【００３５】  また、ケースＫ或いはガイド５とスライダ６との対向面には、スライダ６の押し込み終了にともない係合関係になってスライダ６の突出方向のスライドを阻止する係止手段Ｄが設けてある。【００３６】  上記の係止手段Ｄとしては、例えば図２及び図３に示すように、ガイド５に係止部１６をスライダ６に係止片１７を設けたが逆にすることもできる。【００３７】  そして、係止部１６は、図示の突起に限定されず溝部であってもよい。係止片１７は、図示の場合スライダ６に両端がストッパ１２の反対方向に向くコ字状の切り込み１８を入れて、この切り込み１８の内側を係止部１６側に突出するように押し出して設けたが、スライダ６に別部分の係止片１７を固定して設けることができる。【００３８】  なお、図示の場合、係止手段Ｄは、図示の場合出没方向の前後に配置したが、数は限定されない。【００３９】  上記のように構成すると、解除具Ｅを用いて係止手段Ｄの係合関係を解除すると共に、解除状態で突出方向にスライダ６をスライドさせる。【００４０】  そして、図７に示すように開口１の上縁と同レベル或いは上縁よりも上方にストッパ１２の下縁を位置させる。【００４１】  しかして、開口１からケースＫ内に物品Ａを挿入し、押し込む。【００４２】  その後にスライダ６を没入（挿入）方向にスライドさせて没入終了直前に係止手段Ｄの係止片１７が係止部１６に接触して押し戻され、次いで係止片１７が係止部１６を通過し終わると、押し戻しの解除された係止片１７が係止部１６にひっかかって係合関係に（図２に示すように）なり、この係合関係によってスライダ６の突出方向のスライドを阻止する。【００４３】  このとき、開口１の一部をストッパ１２によって閉じるので、ケースＫ内の物品Ａの取り出しを阻止する。【００４４】  すると、ショップの棚に陳列した際のケースＫ内の物品Ａの抜き取りがストッパ１２により阻止され、盗難を防止する。【００４５】  ケースＫ内の物品Ａを販売や貸し出す場合、ショップ側の解除具Ｅによって（図４、図５にしめすように）係止手段Ｄの係合関係を解除する。【００４６】  次いで、開口１が下側で、かつ開口１の上縁が下向きになるようにケースＫを傾けると、物品Ａによってスライダ６が押し戻されるので���開口１からストッパ１２が外れ（図７に示すように）て、ケースＫから物品Ａを抜き取ることができる。【００４７】  また、ケースＫに（図１、図２、図９、図１３に示す）貫窓２０を設けて、この貫窓２０に嵌入した指先を物品Ａ（図示収納ケースＢ）に押しつけ、押しつけを維持しながら開口１の方向に指を移動させて物品Ａを押し出す。【００４８】  なお、貫窓２０は、図示の側壁２に限定されず、開口１に対向する周壁３にもうけて、嵌入する指先で物品Ａを突き出してもよい。【００４９】  上記の解除具Ｅとしては、図６に示すグリップ２１から突出する突出部材２２（杆や帯板）をガイド６の末端通口２３からガイド６内に（図８に示す）差し込む。【００５０】  すると、図４、図５及び図７に示すように、突出部材２２によって係止片１７が押し戻されて、係止部１６から係止片１７が外れ、係合関係を解除する。【００５１】  この状態下で図８に示すように物品Ａとスライダ６を押し出す。【００５２】  また、解除具Ｅは、上記の方式に限定されず、例えば図１０から図１２に示すように、係止片１７に鉄片３１を固着（係止片１７を鉄片により形成することもある）して、解除具Ｅの磁石３２を鉄片３１の直上に（図１２に示す）位置するようガイド５に近づけ或いは重ねると、磁石３２により鉄片３１が磁吸されて係止部１６から係止片１７が外れて係合関係が解除されるようにしてもよい。【００５３】  なお、図示の係止手段Ｄは、スライダ６の没入（挿入）終了にともない自動的に係合関係になるようにしてあるが、スライダ６の没入（挿入）終了後例えばボタンのプッシュ方式（図示省略）によって係合関係にすることもある。【００５４】  その際解除もそれに見合う方式を採用する。【００５５】  なお、図１４に示すように、ショップの棚に陳列する際透明な展示ケースＸに上方からケースＫを挿入して展示することもある。【００５６】  その際、展示ケースＸ内には、背見出し４１のみ或いは背見出し４１と押さえシート４２を挿入しておく。【００５７】  勿論、展示ケースＸが透明でない場合、展示ケースの外側に設けた透明なシートの内側に印刷紙（いずれも図示省略）を入れておく。
【図面の簡単な説明】
【００５８】
【図１】  この発明の実施形態を示す斜視図
【図２】  同上の腰部を示す一部切欠側面図
【図３】  同一部切欠平面図
【図４】  係止手段の係合関係の解除を示す一部切欠側面図
【図５】  同上の一部切欠平面図
【図６】  解除具の斜視図
【図７】  スライダを突出させた一部切欠側面図
【図８】  同上の一部切欠平面図
【図９】  抜止め手段の他の例を示す一部切欠側面図
【図１０】  係止手段の他の例を示す一部切欠側面図
【図１１】  同上の一部切欠平面図
【図１２】  同一部切欠側面図
【図１３】  物品の他の例を示す一部切欠側面図
【図１４】  展示ケースの使用を示す斜視図
【符号の説明】
【００５９】Ａ      物品
Ｂ      収納ケース
Ｃ      抜止め手段
Ｄ      係止手段
Ｅ      解除具
Ｋ      ケース
１      開口
２      側壁
３      周壁
４      タグ
５      ガイド
６      スライダ
７      頂壁部
８      側壁部
９      レール部
１０    突部
１１    切り込み
１２    ストッパ
１３    関節部
１６    係止部
１７    係止片
１８    切り込み
２０    貫窓
３１    鉄片
３２    磁石
【手続補正３】
【補正対象書類名】図面
【補正対象項目名】全図
【補正方法】変更
【補正の内容】
【図１】
2004345736.tif 000001
【図２】
2004345736.tif 000002
【図３】
2004345736.tif 000003
【図４】
2004345736.tif 000004
【図５】
2004345736.tif 000005
【図６】
2004345736.tif 000006
【図７】
2004345736.tif 000007
【図８】
2004345736.tif 000008
【図９】
2004345736.tif 000009
【図１０】
2004345736.tif 000010
【図１１】
2004345736.tif 000011
【図１２】
2004345736.tif 000012
【図１３】
2004345736.tif 000013
【図１４】
2004345736.tif 000014